(57)【要約】【課題】低輝度域を含む広範囲な輝度調整と、高い電力効率との両立を図ることにある。【解決手段】目標輝度Ｌが所定輝度値Ｌ０以上であると判定された高輝度域においては、定電流駆動回路による直流駆動方式によってＬＥＤを駆動し、目標輝度Ｌが所定輝度値Ｌ０を下回ると判定された低輝度域においては、パルス幅変調駆動回路によるパルス幅変調駆動方式によってＬＥＤを駆動する。このために、低輝度域においては、パルス幅変調方式により輝度調整を可能とし、高輝度域においては直流駆動回路により高い電力効率を維持することができる。【選択図】図２
2008060222.tif 000002
【特許請求の範囲】
【請求項１】
光を発する発光素子の輝度を目標輝度に調整する発光素子駆動装置であって、
電流値指定信号を受信し、該電流値指定信号に基づいた電流値の電流信号を駆動信号として前記発光素子に供給する定電流駆動回路と、
パルス幅のディーティ比を定めるパルス幅指定信号を受信し、該パルス幅指定信号に基づいてパルス幅が変調された電流信号を駆動信号として前記発光素子に供給するパルス幅変調駆動回路と、
前記目標輝度が低輝度および高輝度のいずれに該当するかを判定する輝度判定手段と、
前記輝度判定手段により前記目標輝度が高輝度であると判定されたときに、前記目標輝度に応じた電流値指定信号を前記定電流駆動回路に出力し、前記発光素子へ供給される駆動信号を前記定電流駆動回路の出力に切り換える高輝度制御手段と、
前記輝度判定手段により前記目標輝度が低輝度であると判定されたときに、前記目標輝度に応じたパルス幅指定信号を前記パルス幅変調駆動回路に出力し、前記発光素子へ供給される駆動信号を前記パルス幅変調駆動回路の出力に切り換える低輝度制御手段と
を備える発光素子駆動装置。
【請求項２】
請求項１に記載の発光素子駆動装置であって、
前記パルス幅変調駆動回路は、
前記定電流駆動回路から前記発光素子への前記電流信号の経路の途中に設けられ、前記定電流駆動回路から出力される前記電流信号に対してパルス幅変調を実行する構成であり、
前記高輝度制御手段は、
前記パルス幅変調駆動回路に対してパルスのデューティ比を１００％とする指定信号を出力することにより前記駆動信号の切り換えを行なう手段を備える
発光素子駆動装置。
【請求項３】
請求項２に記載の発光素子駆動装置であって、
前記低輝度制御手段は、
前記高輝度制御手段による輝度の制御範囲において最も低い輝度を実現する電流値を定めた電流値指定信号を前記定電流駆動回路に出力する手段を備える
発光素子駆動装置。
【請求項４】
請求項１ないし３のいずれかに記載の発光素子駆動装置であって、
前記輝度判定手段は、
前記目標輝度が前記発光素子の順電圧から定まる輝度値より低いか否かを判定し、低いと判定されたときに低輝度、低くないと判定されたときに高輝度と定める構成である
発光素子駆動装置。
【請求項５】
請求項１ないし４のいずれかに記載の発光素子駆動装置であって、
前記発光素子は、発光ダイオードである
発光素子駆動装置。
【請求項６】
光を発する発光素子の輝度を目標輝度に調整する発光素子駆動方法であって、
（ａ）前記目標輝度が低輝度および高輝度のいずれに該当するかを判定する工程と、
（ｂ）前記目標輝度が高輝度であると判定されたときに、前記目標輝度に基づいた電流値の電流信号を前記発光素子に供給する工程と、
（ｃ）前記目標輝度が低輝度であると判定されたときに、前記目標輝度に基づいてパルス幅が変調された電流信号を駆動信号として前記発光素子に供給する工程と
を備える発光素子駆動方法。
【請求項７】
請求項６に記載の発光素子駆動方法であって、
前記工程（ｃ）は、
前記工程（ｂ）による輝度の制御範囲において最も低い輝度を実現する電流値の電流信号でもって前記パルス幅の変調を行なう工程を備える
発光素子駆動方法。
【請求項８】
請求項６または７に記載の発光素子駆動方法であって、
前記工程（ａ）は、
前記目標輝度が前記発光素子の順電圧から定まる輝度値より低いか否かを判定し、低いと判定されたときに低輝度、低くないと判定されたときに高輝度と定める構成である
発光素子駆動方法。
【請求項９】
請求項６ないし８のいずれかに記載の発光素子駆動方法であって、
前記発光素子は、発光ダイオードである
発光素子駆動方法。
【発明の詳細な説明】
【技術分野】
【０００１】
本発明は、光を発する発光素子の輝度を目標輝度に調整する発光素子駆動装置および発光素子駆動方法に関するものである。
【背景技術】
【０００２】
近年、発光素子の一つとしての高輝度ＬＥＤが注目されている。ＬＥＤの輝度は、順電流の値を変化させることで調整可能である。図５は、一般的なＬＥＤの順電流Ｉｆに対する相対光度を示すグラフである。このグラフでは、順電流Ｉｆが２［Ａ］のときの明るさを１として、順電流Ｉｆによる相対光度を示している。図示するように、順電流Ｉｆの値を変化させることで、光度、すなわち輝度を調整することができる。
【０００３】
従来、ＬＥＤの輝度調整を実現する方法としては、直流駆動とパルス幅変調駆動の２種類の駆動方式がある。直流駆動は、電流値を直接変化させるものである。パルス幅変調駆動は、電流値を変えずに電流を流す時間をパルスのオンオフ時間の比（＝デューティ比）で変化させるものである（特許文献１参照）
【０００４】
【特許文献１】特開平２００６−４９４２３号公報
【０００５】
ＬＥＤを発光させるには、順電圧と呼ばれる電圧が最低限必要である。すなわち、ＬＥＤは、順電圧以下では電流はほとんど流れず、順電圧を超えると急激に電流が流れる。このため、上記直流駆動の方式では、その順電圧を下回るような低輝度域での輝度調整は困難であった。
【０００６】
一方、パルス幅変調駆動の方式では、パルスのデューティ制御により輝度調整を行なうことから、低輝度域を含む全域で輝度調整を行なうことが容易である。しかしながら、直流駆動の方式に比較して、電力効率が悪いという問題があった。
【０００７】
図５中に一点鎖線で電力効率を記載した。電流Ｉｆが２［Ａ］のときの電力効率を１００％として、順電流Ｉｆによる電力効率を示している。図示するように、順電流Ｉｆの値が大きくなるほど、電力効率は低くなっている。順電流Ｉｆが８［Ａ］の時の相対光度は３であり、２［Ａ］で直流駆動した場合の４倍となっていないことからみても、順電流Ｉｆの値が大きくなるほど電力効率が低くなることはわかる。これに対して、パルス幅変調駆動の方式では、高い順電流Ｉｆを用いてパルスのデューティ比を変えることで輝度調整を行なうものである。したがって、例えば、２［Ａ］で直流駆動した場合と、８［Ａ］の順電流Ｉｆをデューティ比２５％でパルス幅変調をした場合（２Ａ直流駆動相当）とでは、後者は前者に電力効率が劣る問題が発生した。
【発明の開示】
【発明が解決しようとする課題】
【０００８】
本発明の解決しようとする課題は、低輝度域を含む広範囲な輝度調整と、高い電力効率との両立を図ることにある。
【課題を解決するための手段】
【０００９】
前述した課題の少なくとも一部を解決するための手段として、以下に示す構成をとった。
【００１０】
本発明の発光素子駆動装置は、
光を発する発光素子の輝度を目標輝度に調整する発光素子駆動装置であって、
電流値指定信号を受信し、該電流値指定信号に基づいた電流値の電流信号を駆動信号として前記発光素子に供給する定電流駆動回路と、
パルス幅のディーティ比を定めるパルス幅指定信号を受信し、該パルス幅指定信号に基づいてパルス幅が変調された電流信号を駆動信号として前記発光素子に供給するパルス幅変調駆動回路と、
前記目標輝度が低輝度および高輝度のいずれに該当するかを判定する輝度判定手段と、
前記輝度判定手段により前記目標輝度が高輝度であると判定されたときに、前記目標輝度に応じた電流値指定信号を前記定電流駆動回路に出力し、前記発光素子へ供給される駆動信号を前記定電流駆動回路の出力に切り換える高輝度制御手段と、
前記輝度判定手段により前記目標輝度が低輝度であると判定されたときに、前記目標輝度に応じたパルス幅指定信号を前記パルス幅変調駆動回路に出力し、前記発光素子へ供給される駆動信号を前記パルス幅変調駆動回路の出力に切り換える低輝度制御手段と
を備えることを特徴としている。
【００１１】
前記構成の発光素子駆動装置によれば、輝度判定手段により目標輝度が高輝度である判定されたときには、定電流駆動回路により発光素子を駆動し、目標輝度が低輝度である判定されたときには、パルス幅変調駆動回路により発光素子を駆動する。このために、低輝度域においては、パルス幅変調駆動回路により輝度調整を可能とし、高輝度域においては直流駆動回路により高い電力効率を維持することができる。したがって、低輝度域を含む広範囲な輝度調整と高い電力効率との両立を図ることができるという効果を奏する。
【００１２】
前記パルス幅変調駆動回路は、前記定電流駆動回路から前記発光素子への前記電流信号の経路の途中に設けられ、前記定電流駆動回路から出力される前記電流信号に対してパルス幅変調を実行する構成であり、前記高輝度制御手段は、前記パルス幅変調駆動回路に対してパルスのデューティ比を１００％とする指定信号を出力することにより前記駆動信号の切り換えを行なう手段を備える構成としてもよい。
【００１３】
この構成によれば、高輝度域においては、パルス幅変調駆動回路に対してパルス幅変調の機能を無効として、直流駆動回路により発光素子を駆動することができる。また、低輝度域においては、パルス幅変調駆動回路の入力電流を定電流駆動回路から取り込むことができる。したがって、パルス幅変調駆動回路の電源が特別に必要なく、発光素子駆動装置の構成をシンプルなものとすることができる。
【００１４】
前記低輝度制御手段は、前記高輝度制御手段による輝度の制御範囲において最も低い輝度を実現する電流値を定めた電流値指定信号を前記定電流駆動回路に出力する手段を備える構成としてもよい。
【００１５】
この構成によれば、定電流駆動回路よる輝度の制御範囲において電力効率の最も高い電流値の電流信号でもってパルス幅変調駆動回路によるパルス幅変調を行なうことができる。したがって、低輝度域における電力効率をよりよくすることができる。
【００１６】
前記輝度判定手段は、前記目標輝度が前記発光素子の順電圧から定まる輝度値より低いか否かを判定し、低いと判定されたときに低輝度、低くないと判定されたときに高輝度と定める構成としてもよい。
【００１７】
この構成によれば、直流駆動方式では、順電圧以下となって輝度調整が不可能な領域に対しても、輝度調整が可能となる。
【００１８】
前記発光素子は、発光ダイオードとしてもよい。
【００１９】
本発明の発光素子駆動方法は、
光を発する発光素子の輝度を目標輝度に調整する発光素子駆動方法であって、
（ａ）前記目標輝度が低輝度および高輝度のいずれに該当するかを判定する工程と、
（ｂ）前記目標輝度が高輝度であると判定されたときに、前記目標輝度に基づいた電流値の電流信号を前記発光素子に供給する工程と、
（ｃ）前記目標輝度が低輝度であると判定されたときに、前記目標輝度に基づいてパルス幅が変調された電流信号を駆動信号として前記発光素子に供給する工程と
を備えることを要旨としている。
【００２０】
前記構成の発光素子駆動方法によれば、本発明の発光素子駆動装置と同様に、低輝度域を含む広範囲な輝度調整と高い電力効率との両立を図ることができるという効果を奏する。
【発明を実施するための最良の形態】
【００２１】
以下、本発明の実施の形態を実施例に基づいて以下の順序で説明する。
Ａ．構成：
Ｂ．作用・効果：
Ｃ．他の実施形態：
【００２２】
Ａ．構成：
図１は、本発明の一実施例としての発光素子駆動装置を示すブロック図である。プロジェクタ等の画像表示装置は、アレイ状に配列された複数のＬＥＤ（L i g h t E m i t t i n g Di o d e：発光ダイオード）を備えている。図１では、複数のＬＥＤのうちの一つのＬＥＤ５と、そのＬＥＤ５に接続された発光素子駆動装置１０とが示されている。
【００２３】
発光素子駆動装置１０は、定電流駆動回路２０と、パルス幅変調駆動回路３０と、コントローラ４０とを備える。定電流駆動回路２０には、電源５０が接続されており、出力側はパルス幅変調駆動回路３０と接続されている。パルス幅変調駆動回路３０の出力は駆動信号としてＬＥＤ５に送られる。
【００２４】
定電流駆動回路２０は、電流値を指定する電流値指定信号を外部から受信して、その電流値指定信号から定まる電流値の電流信号を出力する回路である。ここでは、定電流駆動回路２０は、コントローラ４０から電流値指定信号Ｓ１を受けており、電源５０から供給される電流信号Ｉ１を、電流値指定信号Ｓ１に応じた電流値の電流信号Ｉ２に変換して出力する。なお、定電流駆動回路２０の詳細な回路構成については周知のものなので、ここでは省略する。
【００２５】
パルス幅変調駆動回路３０は、可変のパルス幅の信号を生成する回路で、パルスの単位時間当たりのオンオフ時間の割合（デューティ比）が、外部から受信するＰＷＭ（パルス幅変調）指定信号によって定められる。ここでは、パルス幅変調駆動回路３０は、コントローラ４０からＰＷＭ指定信号Ｓ２を受けており、定電流駆動回路２０から供給される電流信号Ｉ２を、ＰＷＭ指定信号Ｓ２に応じたデューティ比のパルス信号である電流信号Ｉ３に変換して出力する。なお、パルス幅変調駆動回路３の詳細な回路構成については周知のものなので、ここでは省略する。
【００２６】
コントローラ４０は、ＣＰＵ、ＲＯＭ、ＲＡＭ等を備えた周知のマイクロコンピュータによって構成される。ＲＯＭには、ＬＥＤ５の輝度を変更する輝度制御処理を示すコンピュータプログラムが予め格納されている。ＣＰＵは、ＲＡＭをワークエリアとして用いることにより上記コンピュータプログラムを実行する。なお、本実施例においてソフトウェア的に実現する機能はハードウェアによって実現するものとしてもよい。
【００２７】
図２は、コントローラ４０によって実行される輝度制御処理を示すフローチャートである。この輝度制御処理は、上記コンピュータプログラムに従うものであり、ＬＥＤ５の輝度を変更したいという要求が外部からあったときにコントローラ４０に内蔵されるＣＰＵにより実行開始される。図示するように、処理が開始されると、ＣＰＵは、まず、上記ＬＥＤ輝度の変更要求から定まる目標とする輝度（目標輝度）Ｌを外部から受信する処理を行なう（ステップＳ１００）。
【００２８】
次いで、ＣＰＵは、その目標輝度Ｌが所定輝度値Ｌ０以上であるか否かを判定する（ステップＳ１１０）。ここで、所定輝度値Ｌ０は、ＬＥＤ５の順電圧から定まる値であり、ＬＥＤ５の製品に応じて個別に予め定められた値である。すなわち、順電圧はＬＥＤの製品規格によって定められており、その順電圧で流れる順電流での発光輝度が上記所定輝度値Ｌ０である。所定輝度値Ｌ０はＲＯＭに予め記憶されており、これを読み出して使う。
【００２９】
ＣＰＵは、ステップＳ１１０で、目標輝度Ｌが所定輝度値Ｌ０以上であると判定されたとき、すなわち、高輝度域であると判定されたときには、定電流駆動回路２０を有効として働かせる直流駆動ルーチンを実行し、一方、目標輝度Ｌが所定輝度値Ｌ０を下回ると判定されたとき、すなわち、低輝度域であると判定されたときには、パルス幅変調駆動回路３０を有効として働かせるパルス幅変調駆動ルーチンを実行する。
【００３０】
直流駆動ルーチンは、本発明の「高輝度制御手段」に対応するもので、ステップＳ１２０およびＳ１３０により構成される。すなわち、ステップＳ１１０でＬ≧Ｌ０と判定されると、ＣＰＵは、デューティ比（詳細には、１周期に対するＨレベルの時間比率）を１００％とするＰＷＭ指定信号Ｓ２をパルス幅変調駆動回路３０へ送信し（ステップＳ１２０）、目標輝度Ｌに応じた電流値指定信号Ｓ１を定電流駆動回路２０へ送信する（ステップＳ１３０）。
【００３１】
図３は、ＬＥＤ５についての順電流Ｉｆに対する輝度の特性を示すグラフである。コントローラ４０のＲＯＭには、上記グラフを示す２次元マップデータが予め記憶されている。ステップＳ１３０では、ＣＰＵは、目標輝度Ｌをその２次元マップデータに照らし合わせることで、目標輝度Ｌを得る順電流Ｉｆの電流値を求め、その求めた電流値の電流値指定信号Ｓ１を送信する。なお、この図３は、図５における順電流Ｉｆに対する相対光度の変化と同様である。
【００３２】
パルス幅変調駆動回路３０は、デューティ比１００％のＰＷＭ指定信号Ｓ２を受けると、入力信号をそのまま出力信号として送るだけのものとなることから、ＬＥＤ５へ供給される駆動信号は、目標輝度に基づいて電流値が定められた電流信号Ｉ２となる。すなわち、ＬＥＤ５は、直流駆動方式によって輝度変更がなされることになる。
【００３３】
一方、パルス幅変調駆動ルーチンは、本発明の「低輝度制御手段」に対応するもので、ステップＳ１４０およびＳ１５０により構成される。すなわち、ステップＳ１１０でＬ＜Ｌ０と判定されると、ＣＰＵは、所定輝度値Ｌ０に応じた電流値指定信号Ｓ１を定電流駆動回路２０へ送信し（ステップＳ１４０）、目標輝度Ｌに応じたデューティ比のＰＷＭ指定信号Ｓ２をパルス幅変調駆動回路３０へ送信する（ステップＳ１５０）。
【００３４】
所定輝度値Ｌ０は、前述したようにＲＯＭに予め記憶されたもので、輝度値における直流駆動ルーチンとパルス幅変調駆動ルーチンとの境界域である。このため、ステップＳ１４０では、ステップＳ１２０、Ｓ１３０による直流駆動ルーチンの輝度の制御範囲において最も低い輝度である所定輝度値Ｌ０を実現する電流値（以下、この電流値を「順電圧時電流値」と呼ぶ）を定めた電流値指定信号Ｓ１を送信することになる。定電流駆動回路２０は、その電流値指定信号Ｓ１を受けると、その電流値指定信号Ｓ１に基づいて定められた順電圧時電流値の電流信号Ｉ２を出力する。
【００３５】
パルス幅変調駆動回路３０は、ステップＳ１４０により目標輝度Ｌに応じたデューティ比のＰＷＭ指定信号Ｓ２を受けると、定電流駆動回路２０から送られてくる順電圧時電流値の電流信号Ｉ２に対して、ＰＷＭ指定信号Ｓ２に基づいてパルス幅変調を行なう。パルス幅変調駆動回路３０の出力は駆動信号としてＬＥＤ５に送られる。すなわち、ＬＥＤ５は、パルス幅変調駆動方式によって輝度変更がなされることになる。
【００３６】
直流駆動ルーチンまたはパルス幅変調駆動ルーチンの終了後、すなわち、ステップＳ１３０またはステップＳ１５０の実行後、この輝度制御処理のルーチンを一旦終了する。
【００３７】
Ｂ．作用・効果：
上記構成の発光素子駆動装置１０によれば、目標輝度Ｌが所定輝度値Ｌ０以上であると判定された高輝度域においては、定電流駆動回路２０による直流駆動方式によってＬＥＤ５を駆動し、目標輝度Ｌが所定輝度値Ｌ０を下回ると判定された低輝度域においては、パルス幅変調駆動回路３０によるパルス幅変調駆動方式によってＬＥＤ５を駆動する。このために、低輝度域においては、パルス幅変調方式により輝度調整を可能とし、高輝度域においては直流駆動方式により高い電力効率を維持することができる。したがって、低輝度域を含む広範囲な輝度調整と高い電力効率との両立を図ることができるという効果を奏する。
【００３８】
図４は、定電流駆動回路２０から出力される電流信号Ｉ２とＬＥＤ５の発光輝度との関係を示すグラフである。図示するように、ＬＥＤ５の発光輝度が所定輝度値Ｌ０を下回るときには、電流信号Ｉ２は、所定輝度値Ｌ０を実現する順電圧時電流値Ｉ２Ｌ０を維持しており、この順電圧時電流値Ｉ２Ｌ０の電流信号Ｉ２に対してパルス幅変調が施されている。パルス幅変調駆動は、電流値を変えずに電流を流す時間をデューティ制御するものであることからベースとなる電流信号は、順電圧時電流値Ｉ２Ｌ０よりも高い電流値で制御することができるが、この実施例では順電圧時電流値Ｉ２Ｌ０をベースとしている。すなわち、定電流駆動回路２０よる輝度の制御範囲において電力効率の最も高い電流値の電流信号でもってパルス幅変調駆動回路によるパルス幅変調を行なっている。したがって、低輝度域における電力効率をよりよくすることができる。
【００３９】
また、この実施例では、定電流駆動回路２０からＬＥＤ５への電流信号の経路の途中にパルス幅変調駆動回路３０を設けていることから、パルス幅変調駆動回路３０の電源が特別に必要なく、発光素子駆動装置１０の構成をシンプルなものとすることができる。
【００４０】
Ｃ．他の実施形態：
なお、本発明は上記した実施例や実施形態に限られるものではなく、その要旨を逸脱しない範囲において種々の態様にて実施することが可能である。
【００４１】
（１）前記実施例では、高輝度域と低輝度域の判定を目標輝度Ｌが所定輝度値Ｌ０以上であるか否かから判定していたが、これに換えて、順電圧時電流値Ｉ２Ｌ０を予めＲＯＭに記憶しておき、まず目標輝度Ｌを実現する電流値を求め、その求めた電流値が順電圧時電流値Ｉ２Ｌ０以上であるか否かから判定してもよい。さらには、目標輝度Ｌを実現する電流値を求め、その求めた電流値に対応する電圧を求めて、その電圧が順電圧以上であるか否かから判定してもよい。
【００４２】
（２）前記実施例では、高輝度域と低輝度域の判定を順電圧を基準として行なっていたが、必ずしも順電圧を境界とする必要はない。順電流と輝度の関係が十分に直線的に比例しないような領域では直流駆動方式での輝度調整が難しいが、この領域を判定可能であれば、順電圧よりも高い側に設定してもよいし、順電圧よりも低い側に設定してもよい。
【００４３】
（３）前記実施例では、高輝度域と低輝度域の判定を目標輝度Ｌが所定輝度値Ｌ０以上であるか否かから判定していたが、これに換えて次のような構成とすることもできる。定電流駆動回路２０は、出力電流値をコントローラ４０に通知する構成として、当初、目標輝度Ｌに応じた直流駆動を定電流駆動回路２０に実行させる。その後、定電流駆動回路２０から通知される電流値が順電圧時電流値Ｉ２Ｌ０を下回るか否かを判定し、下回ると判定されたときに、パルス幅変調駆動回路３０を有効として働かせる。この構成によっても、前記実施例と同様な効果を奏する。要は、目標輝度Ｌが低輝度および高輝度のいずれに該当するかの判定は、必ずしも目標輝度Ｌを直接比較演算する必要はなく、その目標輝度Ｌとリニアな関係を持つ他のパラメータを用いて比較演算してもよい。
【００４４】
（４）実施例では、定電流駆動回路２０からＬＥＤ５への電流信号の経路の途中にパルス幅変調駆動回路３０を設けていたが、これに換えて、パルス幅変調駆動回路に別の定電流回路を付加して、そのパルス幅変調駆動回路と定電流駆動回路とを独立に設けて、両者の間の出力をスイッチによって切り換える構成としてもよい。
【００４５】
（５）上述した実施例では、画像表示装置を構成する複数のＬＥＤのうちのそれぞれに対して個別に順電圧に基づく駆動方式の切り換えを行なったが、これに換えて、複数のＬＥＤのうちの順電圧の最も高いものを選択して、その最大の順電圧に基づいて各ＬＥＤについての駆動方式の切り換えを行なう構成としてもよい。
【００４６】
（６）上述した実施例では、発光素子としてＬＥＤを用いていたが、これに換えて、レーザダイオード、有機エレクトロルミネッセンス（ＥＬ）素子などの他の発光素子としてもよい。
【００４７】
（７）上述した実施例では、発光素子としてのＬＥＤは、プロジェクタ等の画像表示装置に用いられていたが、画像表示装置以外にも照明機器に用いた構成としてもよい。
【図面の簡単な説明】
【００４８】
【図１】本発明の一実施例としての発光素子駆動装置１０を示すブロック図である。
【図２】コントローラ４０によって実行される輝度制御処理を示すフローチャートである。
【図３】ＬＥＤ５についての順電流Ｉｆに対する輝度の特性を示すグラフである。
【図４】定電流駆動回路２０から出力される電流信号Ｉ２とＬＥＤ５の発光輝度との関係を示すグラフである。
【図５】一般的なＬＥＤの順電流Ｉｆに対する相対光度を示すグラフである。
【符号の説明】
【００４９】
５…ＬＥＤ
１０…発光素子駆動装置
２０…定電流駆動回路
３０…パルス幅変調駆動回路
４０…コントローラ
５０…電源
Ｌ…目標輝度
Ｌ０…所定輝度値
Ｉ１，Ｉ２，Ｉ３…電流信号
Ｓ１…電流値指定信号
Ｓ２…ＰＷＭ指定信号
【図１】
2008060222.tif 000003
【図２】
2008060222.tif 000004
【図３】
2008060222.tif 000005
【図４】
2008060222.tif 000006
【図５】
2008060222.tif 000007